(57)【要約】【課題】積み重ね時の安定性を良くして荷崩れを防止すると共に、積載性及び積載量の向上を図ることができる三脚脚立を提供する。【解決手段】上端部に天板３を備え、前側の略ハの字状に開いた梯子状脚体１の上端部と、後側の一本の棒状脚体２の上端部とが開閉可能に連結された三脚脚立において、天板３は、梯子状脚体１とは別個に形成されて梯子状脚体１の上端所要部から予め切り離されている後付用天板であって、脚立使用時に梯子状脚体１の上端所要部に使用時の水平姿勢に取付け固定されるようになっている。【選択図】図１
2008267027.tif 000002
【特許請求の範囲】
【請求項１】
上端部に天板を備えて前側の略ハの字状に開いた梯子状脚体の上端部と、後側の一本の棒状脚体の上端部とが開閉可能に連結された三脚脚立において、
天板は、梯子状脚体とは別個に形成されて梯子状脚体の上端所要部から予め切り離されている後付用天板であって、脚立使用時に梯子状脚体の上端所要部に使用時の水平姿勢に取付け固定されるようになっていることを特徴とする三脚脚立。
【請求項２】
天板の基端部には天板取付用の差込みパイプが設けられ、梯子状脚体の上端部には差込みパイプが差し込まれる被差込みパイプが設けられ、被差込みパイプには切り起こし片が設けられ、差込みパイプにはパイプ差し込み時に切り起こし片が弾性変形により突入して差込みパイプの抜け出しを不能とする切り起こし片突入用スリットが設けられていることを特徴とする請求項１に記載の三脚脚立。
【請求項３】
梯子状脚体には踏桟の後側中央部に、梯子状脚体と棒状脚体とを閉脚姿勢に閉じた時に棒状脚体が梯子状脚体内に納まるように棒状脚体が嵌合する嵌合凹部が設けられていることを特徴とする請求項１又は２に記載の三脚脚立。
【請求項４】
前記嵌合凹部には、棒状脚体が嵌合した状態で抜け止めとなる突起が設けられていることを特徴とする請求項３に記載の三脚脚立。
【発明の詳細な説明】
【技術分野】
【０００１】
本発明は、上端部に天板を備え、前側の略ハの字状に開いた梯子状脚体の上端部と、後側の一本の棒状脚体の上端部とが開閉可能に連結された三脚脚立に関する。
【背景技術】
【０００２】
この種の三脚脚立は、通常の四脚の脚立と違って三点支持であるため、支持面が平でなくても安定して立てることができると共に、障害物が複雑に入り組んでいる場合でも後側の棒状脚体がそれらの障害物のたてることができ、従ってみかん等の果樹の収穫作業や、庭木の剪定作業等に汎用されている。
【０００３】
従来の三脚脚立として、特許公報などの具体的な公知文献を挙げることはできないが、現在使用されている三脚脚立Ｂを図５に示す。図５の(a) は閉脚姿勢に折り畳んだ三脚脚立Ｂを後側から見た正面図、(b) は同閉脚姿勢の側面図であり、(c) はこの三脚脚立Ｂを所定の開脚姿勢に開いた状態の側面図、(d) は同開脚姿勢を前側から見た正面図である。この三脚脚立Ｂは、上端部に天板３を備え、前側の略ハの字状に開いた梯子状脚体１と、この梯子状脚体１に対し上端部どうしが開閉可能に連結された後側の一本の棒状脚体２とからなる。梯子状脚体１は、略ハの字状に配置された左右一対の支柱４，４と、両支柱４，４間に高さ方向適当間隔おきに横架された踏桟５…とからなるもので、両支柱４，４の上端部に天板３が使用時に水平姿勢となるように両支柱４，４に対し固定的に設置され、この天板３の先端部に棒状脚体２の上端部が枢支連結され、また両支柱４，４に沿って補強枠６，６が配設されている。７は梯子状脚体１と棒状脚体２とを所定の開脚姿勢に保持する索体である。
【０００４】
この三脚脚立Ｂは、工場で製作されて、出荷される際に、両脚体１，２が図５の(b) に示すような閉脚姿勢に折り畳まれ、トラックやコンテナー等に積み込まれて所定の場所まで運搬され、しかして使用の際に両脚体１，２が(c) に示すような所定の開脚姿勢に開いて使用されるようになっている。
【発明の開示】
【発明が解決しようとする課題】
【０００５】
ところで、従来の三脚脚立Ｂは、天板３が梯子状脚体１に対し使用時に水平姿勢となるような所定の角度に固定されていることから、図５の(b) に示すように閉脚姿勢に折り畳んだ状態において前後方向の厚みが厚くなって嵩張ると共に、天板３側端部の厚みがその反対側の端部よりも厚い傾斜状となり、従って積み重ねた時に積み荷の状態が非常に不安定で荷崩れを起こし易い上に、出荷時にコンテナー等に積み込む際に積載量が制限され、積載性が悪いという問題がある。
【０００６】
本発明は、上記のような課題に鑑みてなされたもので、積み重ね時の安定性を良くして荷崩れを防止すると共に、積載性及び積載量の向上を図ることができる三脚脚立を提供することを目的とする。
【課題を解決するための手段】
【０００７】
上記課題を解決するための手段を、後述する実施形態の参照符号を付して説明すると、請求項１に係る発明は、上端部に天板３を備えて前側の略ハの字状に開いた梯子状脚体１の上端部と、後側の一本の棒状脚体２の上端部とが開閉可能に連結された三脚脚立において、
天板３は、梯子状脚体１とは別個に形成されて梯子状脚体１の上端所要部から予め切り離されている後付用天板であって、脚立使用時に梯子状脚体１の上端所要部に使用時の水平姿勢に取付け固定されるようになっていることを特徴とする。
【０００８】
請求項２は、請求項１に記載の三脚脚立において、天板３の基端部には天板取付用の差込みパイプ１５が設けられ、梯子状脚体１の上端部には差込みパイプ１５が差し込まれる被差込みパイプ１０が設けられ、被差込みパイプ１０には切り起こし片１６が設けられ、差込みパイプ１５にはパイプ差し込み時に切り起こし片１６が弾性変形により突入して差込みパイプ１５の抜け出しを不能とする切り起こし片突入用スリット１７が設けられていることを特徴とする。
【０００９】
請求項３は、請求項１又は２に記載の三脚脚立において、梯子状脚体１には踏桟５の後側中央部に、梯子状脚体１と棒状脚体２とを閉脚姿勢に閉じた時に棒状脚体２が梯子状脚体１内に納まるように棒状脚体２が嵌合する嵌合凹部９が設けられていることを特徴とする。
【００１０】
請求項４は、請求項３に記載の三脚脚立において、前記嵌合凹部９には、棒状脚体２が嵌合した状態で抜け止めとなる突起２１が設けられていることを特徴とする。
【発明の効果】
【００１１】
上記解決手段による発明の効果を、後述する実施形態の参照符号を付して説明すると、請求項１に係る発明の三脚脚立によれば、天板３を、梯子状脚体１とは別個に形成して、脚立使用時に梯子状脚体１の上端所要部に取り付けるようにした後付用天板としたから、三脚脚立の出荷時には、梯子状脚体１と棒状脚体２とを閉脚姿勢に折り畳むことにより、三脚脚立の前後方向厚みを極力薄くフラット化することができて、積み重ね時の安定性を良くして荷崩れを防止できると共に、積載性及び積載量の向上を図ることができる。
【００１２】
請求項２に係る発明のように、天板３側の差込みパイプ１５を梯子状脚体１側の被差込みパイプ１０に差し込むことにより、被差込みパイプ１０側の切り起こし片１６が差込みパイプ１５側のスリット１７に突入係合して差込みパイプ１５の抜け出しが不能となるような構成とすれば、天板３の取付構造がコンパクトで簡単となり、製作が容易でコストを安くできる。
【００１３】
請求項３に係る発明の三脚脚立によれば、梯子状脚体１の踏桟５の後側中央部に棒状脚体２が嵌合する嵌合凹部９を設けたことによって、梯子状脚体１と棒状脚体２とを閉脚姿勢に閉じた時に棒状脚体２を梯子状脚体１内に納めることができ、それにより三脚脚立の前後方向厚みを一層薄くフラット化することができて、積載性及び積載量の一層の向上を図ることができる。
【００１４】
請求項４に係る発明のように、嵌合凹部９には、棒状脚体２がこの嵌合凹部９に嵌合した状態で抜け止めとなる突起２１が設けてあるから、棒状脚体２を嵌合凹部９に嵌合させれば、この棒状脚体２は嵌合凹部９から容易に抜け出ることがなく、閉脚姿勢に保持させることができる。
【発明を実施するための最良の形態】
【００１５】
以下に本発明の好適な一実施形態を図面に基づいて説明すると、図１の(a) は本発明に係る三脚脚立Ａを閉脚姿勢に折り畳んだ状態を後側から見た正面図、(b) は(a) の三脚脚立Ａを真上から見た平面図、(c) は同閉脚姿勢の三脚脚立Ａの側面図、(d) は(c) の三脚脚立Ａを真上から見た平面図、(e) は天板３の側面図、(f) は(e) の天板３を真上から見た平面図、(g) は(d) のＸ−Ｘ線拡大断面図であり、図２の(a) は使用に際して天板３を梯子状脚体１の上端部に後付けした三脚脚立Ａを閉脚姿勢で示す側面図、(b) は同三脚脚立Ａを開脚姿勢で示す側面図、(c) は同開脚姿勢の三脚脚立Ａの正面図、(d) はその平面図である。
【００１６】
この三脚脚立Ａは、上端部に天板３を備え、前側の略ハの字状に開いた梯子状脚体１と、この梯子状脚体１に対して開閉できるように連結された後側の一本の棒状脚体２とからなるもので、梯子状脚体１は、略ハの字状に配置された左右一対の支柱４，４と、両支柱４，４間に高さ方向適当間隔おきに横架された踏桟５…とにより形成される。天板３は、梯子状脚体１とは別個に形成されて梯子状脚体１の上端所要部から予め切り離されている後付用天板であって、三脚脚立Ａを使用する際に梯子状脚体１の上端所要部に使用時の水平姿勢に取付け固定されるようになっている。
【００１７】
上記構造について更に詳しく説明すれば、梯子状脚体１を構成する左右両支柱４，４の夫々上端部には天板取付用の被差込みパイプ１０，１０が一体的に突設されていて、両被差込みパイプ１０，１０間には支軸１１が横架され、この支軸１１に棒状脚体枢着用の円筒部材１２が回転可能に嵌装してあって、この円筒部材１２に棒状脚体２の上端部が固着され、それによって棒状脚体２は、図１の(g) に示すように支軸１１を中心に枢動可能となっている。尚、円筒部材１２と棒状脚体２の上端部との間には補強部材２０、２０が介装される。
【００１８】
梯子状脚体１とは別個に形成されて梯子状脚体１の上端所要部から予め切り離してある後付けタイプの天板３は、図１及び図３に示すように、平面視略コ字状の本体枠１３と、中桟１４と、コ字状本体枠１３の左右両端部に一体的に連結された天板取付用の差込みパイプ１５，１５とからなり、両差込みパイプ１５，１５は、脚立使用時に、梯子状脚体１の上端部に設けられた天板取付用の被差込みパイプ１０，１０に挿着されるようになっている。
【００１９】
図３の(c) 及び(d) に示すように、梯子状脚体１の上端側にある左右各被差込みパイプ１０には内向きに切り起こされて突出する切り起こし片１６，１６が直径方向対称位置に設けられ、天板３側の各差込みパイプ１５には、パイプ差し込み時に被差込みパイプ１０側の切り起こし片１６が弾性変形により突入して差込みパイプ１５の抜け出しを不能とする切り起こし片突入用のスリット１７が設けられている。
【００２０】
天板３の本体枠１３、中桟１４及び差込みパイプ１５、そして被差込みパイプ１０は、夫々丸鋼管からなる。図３の(c) に示すように、差込みパイプ１５は、本体枠１３より径小のパイプで、その基端部１５ｏが本体枠１３の端部内に嵌合されて、この本体枠１３の端部に設けた孔１８から溶接Ｗされることにより、本体枠１３の端部に連結固定されるようになっている。
【００２１】
しかして、天板３の取付けにあたって、図３の(c) 及び(d) に示すように、梯子状脚体１側の被差込みパイプ１０に天板３側の差込みパイプ１５を差し込むと、被差込みパイプ１０の切り起こし片１６が弾性変形により差込みパイプ１５側のスリット１７に突入係合し、それによって差込みパイプ１５は、図３の(e) に示すように被差込みパイプ１０に対して抜け出し不能となる。
【００２２】
梯子状脚体１の各踏桟５は、図４の(a) に示すように、左右両支柱４，４間に横架された前側踏桟５ａと、前側踏桟５ａの両端部から梯子状脚体１の後方へ一体的に突出するように平面視弓形に形成される後側踏桟５ｂとからなるもので、後側踏桟５ｂには、梯子状脚体１と棒状脚体２とを閉脚姿勢に閉じた時に棒状脚体２が梯子状脚体１内に納まるように後側踏桟５ｂの中央部に棒状脚体２が嵌合する嵌合凹部９が設けられている。この嵌合凹部９は、後側踏桟５ｂの中央部に介挿されるアルミ押出型材からなるコ字形枠片１９によって形成されるもので、図４の(b) に示すように、この嵌合凹部９の内側面対向位置には、棒状脚体２がこの嵌合凹部９に嵌合した状態で抜け止めとなる突起２１が設けられている。従って、閉脚時に棒状脚体２を嵌合凹部９に嵌合させれば、この棒状脚体２は嵌合凹部９から容易に抜け出ることがなく、閉脚姿勢に保持させることができる。脚立の使用にあたって梯子状脚体１と棒状脚体２とを開脚する時は、棒状脚体２を開脚方向に引っ張ることによって、棒状脚体２を各嵌合凹部９から簡単に引き出すことができる。
【００２３】
また、梯子状脚体１の左右両支柱４，４の夫々後側には補強枠６，６が配設され、各補強枠６は、図４の(a) に示すように各踏桟５の後側踏桟５ｂに固着されると共に、各補強枠６の上端部は支柱４の上端部に突設されている被差込みパイプ１０に固着され（図１〜図３参照）、下端部は支柱４の下端部に固着される（図１〜図３参照）。
【００２４】
上記のような構成よりなる三脚脚立Ａの使用方法について、図１〜図３を適宜に参照しながら以下に説明する。
【００２５】
図１は工場で製作されて何時でも出荷可能な状態で閉脚姿勢に折り畳まれた三脚脚立Ａを示している。この時、天板３は梯子状脚体１の上端所要部から切り離された状態にあるから、この状態で梯子状脚体１と棒状脚体２とが閉脚姿勢に折り畳まれると、図１の(c) から分かるように、三脚脚立Ａの前後方向の厚みが薄くてフラットになり、しかもこの時棒状脚体２が各踏桟５の嵌合凹部９に嵌合して梯子状脚体１内に納まった状態となっているため、従来の三脚脚立Ｂを示す図５の(b) と比較すれば明らかなように、前後方向の厚みは一層薄くフラットとなる。
【００２６】
このように三脚脚立Ａは、前後方向の厚みが薄く、フラットに折り畳まれているから、出荷時にコンテナー等に積み込む際に、コンテナー内で多段状に積み重ねても荷崩れを起こすことがなく、安定良く積み重ねることができる共に、折り畳み状態での厚みが薄くフラット化されるため、積載性とともに積載量の増大を図ることができる。
【００２７】
上記のように出荷時に天板３が梯子状脚体１の上端所要部から切り離された状態にある三脚脚立Ａを作業現場等で使用する時に、天板３を梯子状脚体１の上端所要部に外付け式に取り付ける。
【００２８】
即ち、三脚脚立Ａを使用する際に、図３の(a)及び(b) に示すように、梯子状脚体１の上端部にある被差込みパイプ１０に、天板３の基端部の差込みパイプ１５を差し込むと、被差込みパイプ１０側の切り起こし片１６が弾性変形により差込みパイプ１５側のスリット１７に突入係合して、差込みパイプ１５の抜け出しが不能となり（図３の(e) 参照）、それによって天板３は梯子状脚体１の上端所要部に使用時の水平姿勢に固定される。図２の(a) は脚立使用時に天板３を梯子状脚体１の上端所要部に取り付けた三脚脚立Ａを閉脚状態で示し、(b) は同三脚脚立Ａを開脚状態で示す。
【００２９】
以上説明した実施形態では、天板３側の差込みパイプ１５を梯子状脚体１側の被差込みパイプ１０に差し込むことにより、被差込みパイプ１０側の切り起こし片１６が差込みパイプ１５側のスリット１７に突入係合して差込みパイプ１５の抜け出しが不能となるようにしたが、このような切り起こし片１６を使用することなく、天板３を梯子状脚体１の上端部に取り外しができるように外付け式に取り付けるようにしてもよい。但し、本実施形態のように一旦取り付けると、二度と取り外しができないような構成にすれば、天板３の取付構造がコンパクトで簡単となり、製作が容易でコストを安くできる利点がある。
【図面の簡単な説明】
【００３０】
【図１】(a) は本発明に係る三脚脚立を閉脚姿勢に折り畳んだ状態を後側から見た正面図、(b) は(a) の三脚脚立を真上から見た平面図、(c) は同閉脚姿勢の三脚脚立の側面図、(d) は(c) の三脚脚立を真上から見た平面図、(e) は天板３の側面図、(f) は(e) の天板を真上から見た平面図、(g) は(d) のＸ−Ｘ線拡大断面図である。
【図２】(a) は使用に際して天板を梯子状脚体の上端部に後付けした三脚脚立を閉脚姿勢で示す側面図、(b) は同三脚脚立を開脚姿勢で示す側面図、(c) は同開脚姿勢の三脚脚立の正面図、(d) はその平面図である。
【図３】(a) 及び(b) は図２の(b) の矢印Ｚで示す部分の拡大図で、(a) は天板側の差込みパイプを梯子状脚体側の被差込みパイプに差し込む寸前の状態を示し、(b) は差込み後の状態を示し、(c) は(a) の拡大図、(d) は(c) の平面図、(e) は差込みパイプを被差込みパイプに差し込んだ状態の拡大断面図である。
【図４】(a) は図１のＹ−Ｙ線拡大断面図、(b) は(a) の一部拡大図である。
【図５】(a) は閉脚姿勢に折り畳んだ従来の三脚脚立を後側から見た正面図、(b) は同閉脚姿勢の側面図であり、(c) は同三脚脚立を所定の開脚姿勢に開いた状態の側面図、(d) は同開脚姿勢を前側から見た正面図である。
【符号の説明】
【００３１】
Ａ            三脚脚立
１            梯子状脚体
２            棒状脚体
３            天板
４            支柱
５            踏桟
５ａ          前側踏桟
５ｂ          後側踏桟
９            嵌合凹部
１５          差込みパイプ
１６          切り起こし片
１７          切り起こし片突入用スリット
【図１】
2008267027.tif 000003
【図２】
2008267027.tif 000004
【図３】
2008267027.tif 000005
【図４】
2008267027.tif 000006
【図５】
2008267027.tif 000007